(57)【特許請求の範囲】
【請求項１】
電線を受ける導電ブロックを備え、
前記導電ブロックは、
第１および第２の速結端子部と、
前記第１および第２の速結端子部同士を連結する連結部と、
を有し、
前記連結部は、
第１方向において互いに所定間隔を隔てて対向する第１および第２の側壁と、
前記第１方向に直交する第２方向における前記第１の側壁の端部と前記第２方向における前記第２の側壁の端部とを連結する底壁と、
を有し、
前記第１の速結端子部は、前記第１の側壁における前記第２の側壁とは反対側の面に設けられ、
前記第２の速結端子部は、前記第２の側壁における前記第１の側壁とは反対側の面に設けられ、
前記第１および第２の側壁は前記底壁に一体に形成され、
前記第１の速結端子部は、前記第１の側壁に一体に形成され、
前記第２の速結端子部は、前記第２の側壁に一体に形成される
ことを特徴とする端子台。
【請求項２】
前記第１および第２の速結端子部と前記連結部とは、一体に形成される
ことを特徴とする請求項１に記載の端子台。
【請求項３】
前記導電ブロックを収納するように構成されるハウジングをさらに備え、
前記ハウジングは、第１および第２の電線挿通孔を有し、
前記導電ブロックは、前記第１および第２の速結端子部が前記第１および第２の電線挿通孔にそれぞれ対向する
ことを特徴とする請求項１または２に記載の端子台。
【請求項４】
前記ハウジングは、前記第１および第２の側壁の間に介在される突起部を備える
ことを特徴とする請求項３に記載の端子台。
【請求項５】
前記突起部は、前記第１の側壁における前記第２の側壁と対向する面と前記第２の側壁における前記第１の側壁と対向する面とに接触する
ことを特徴とする請求項４に記載の端子台。
【請求項６】
前記第１および第２の速結端子部のそれぞれは、
前記第２方向において電線と接触される接触面を有する電線受け部と、
前記第２方向において前記接触面に対向するように配置され、前記電線により押圧されると前記接触面から離れるように弾性変形して前記電線を前記電線受け部とで保持する鎖錠片と、
を有する
ことを特徴とする請求項１〜５のいずれか１項に記載の端子台。
【請求項７】
請求項１〜６のいずれか１項に記載の端子台と、
前記端子台が取り付けられる器具本体と、
を備える
ことを特徴とする照明器具。
【発明の詳細な説明】
【技術分野】
【０００１】
本発明は、端子台および、これを用いた照明器具に関するものである。
【背景技術】
【０００２】
従来、電線挿通孔を有するハウジングと、このハウジングに収納され電線挿通孔から挿通された電線が接続される導電ブロックとを備える端子台がある。端子台は、電源と負荷との間に設けられ、電源からの電線および負荷への電線が導電ブロックに接続されることで、電源と負荷とを電気的に接続する。【０００３】
また、他の機器（端子台）に送り配線するために、送り配線用の電線を導電ブロックに接続可能な端子台もある（例えば、文献１［日本国公開特許公報第２０１０−２３８６３１号］参照）。【０００４】
この場合、導電部ブロックは、電源からの電線が接続される速結端子部と、送り配線用の電線が接続される速結端子部とを備えており、一対の速結端子部が並んで設けられることが一般的である。文献１では、導電性を有する板状の基板部の一端を折り曲げ加工し、中央部にスリットを設けることで、一対の速結端子部を構成している。【０００５】
しかし、文献１のようにスリットを設けて一対の速結端子部を形成した場合、一方の速結端子部に対して電線が斜め方向から挿入されると、隣接する他方の速結端子部に電線が入り込むおそれがある。これにより、電線の結線不良や、電線の解除ができず電線が抜けなくなる等の問題が発生するおそれがある。
【発明の開示】
【０００６】
本発明は、上記事由に鑑みてなされたものであり、その目的は、隣接する速結端子部への電線の誤挿入を防止することができる端子台および、これを用いた照明器具を提供することにある。
【０００７】
本発明に係る第１の形態の端子台は、電線を受ける導電ブロックを備える。前記導電ブロックは、第１および第２の速結端子部と、前記第１および第２の速結端子部同士を連結する連結部と、を有する。前記連結部は、第１方向において互いに所定間隔を隔てて対向する第１および第２の側壁と、前記第１方向に直交する第２方向における前記第１の側壁の端部と前記第２方向における前記第２の側壁の端部とを連結する底壁と、を有する。前記第１の速結端子部は、前記第１の側壁における前記第２の側壁とは反対側の面に設けられる。前記第２の速結端子部は、前記第２の側壁における前記第１の側壁とは反対側の面に設けられ、前記第１および第２の側壁は前記底壁に一体に形成され、前記第１の速結端子部は、前記第１の側壁に一体に形成され、前記第２の速結端子部は、前記第２の側壁に一体に形成される。
【０００９】
本発明に係る第２の形態の端子台では、第１の形態において、前記第１および第２の速結端子部と前記連結部とは、一体に形成される。
【００１０】
本発明に係る第３の形態の端子台では、第１または第２の形態のいずれか１つにおいて、前記端子台は、前記導電ブロックを収納するように構成されるハウジングをさらに備える。前記ハウジングは、第１および第２の電線挿通孔を有する。前記導電ブロックは、前記第１および第２の速結端子部が前記第１および第２の電線挿通孔にそれぞれ対向する。
【００１１】
本発明に係る第４の形態の端子台では、第３の形態において、前記ハウジングは、前記第１および第２の側壁の間に介在される突起部を備える。
【００１２】
本発明に係る第５の形態の端子台では、第４の形態において、前記突起部は、前記第１の側壁における前記第２の側壁と対向する面と前記第２の側壁における前記第１の側壁と対向する面とに接触する。
【００１３】
本発明に係る第６の形態の端子台では、第１〜第５の形態のいずれか１つにおいて、前記第１および第２の速結端子部のそれぞれは、電線受け部と、鎖錠片と、を有する。前記電線受け部は、前記第２方向において電線と接触される接触面を有する。前記鎖錠片は、前記第２方向において前記接触面に対向するように配置され、前記電線により押圧されると前記接触面から離れるように弾性変形して前記電線を前記電線受け部とで保持するように構成される。
【００１４】
本発明に係る第７の形態の照明器具は、第１〜第６の形態のいずれか１つの端子台と、前記端子台が取り付けられる器具本体と、を備える。
【図面の簡単な説明】
【００１５】
【図１】本発明に係る一実施形態の端子台の分解斜視図である。
【図２】上記端子台の分解斜視図である。
【図３】上記端子台の導電ブロックの斜視図である。
【図４】上記導電ブロックの前面図である。
【図５】上記端子台の本体の下面図である。
【図６】上記本体に上記導電ブロックを収納する方法を説明する図である。
【図７】上記端子台の断面図である。
【図８】図７においてＰで示す部位の拡大図である。
【図９】上記端子台への電線の接続方法を示す図である。
【図１０】上記端子台を備える照明器具の斜視図である。
【発明を実施するための形態】
【００１６】
本発明に係る一実施形態の端子台１０は、図１および図２に示すように、電線Ｗ（図９参照）を受ける導電ブロック２を備える。また、端子台１０は、導電ブロック２を収納するハウジング１を備える。本実施形態では、端子台１０は、３つの導電ブロック２を備える。また、ハウジング１は、３つの導電ブロック２を収納するように構成される。端子台１０は、たとえば、図９に示すような照明器具３に取り付けられる。
【００１７】
すなわち、本実施形態の端子台１０は、ハウジング１と、ハウジング１に収納される３つの導電ブロック２とを備え、照明器具に取り付けられる。以下の説明では、図１における上下方向、左右方向、および前後方向を、それぞれ、端子台１０の上下方向、左右方向、前後方向という。
【００１８】
ハウジング１は、一面（図１における下面）が開口した箱状の本体１１と、下方から本体１１の開口を覆うように本体１１に結合されるカバー１２とで構成され、内部に各導電ブロック２を収納する収納部１５を備える。本体１１の前面には、３つの係止孔１１１が左右方向に並んで形成されている。また、カバー１２の前面には、各係止孔１１１に係止される凸部１２１が左右方向に並設されている。そして、係止孔１１１の各々に、凸部１２１の各々が係止されることで、本体１１とカバー１２とが結合される。
【００１９】
本体１１は、前面に３つの電線挿通部１３が左右方向に並設されている。電線挿通部１３、左右方向に並列して形成された第１の電線挿通孔１３１（１３１ａ）および第２の電線挿通孔１３１（１３１ｂ）で構成されており、電線挿通部１３の開口形状は、左右方向に並ぶ円形状の第１，第２の電線挿通孔１３１ａ，１３１ｂを組み合わせた形状となっている。そして、第１の電線挿通孔１３１ａに第１の電線が挿通され、第２の電線挿通孔１３１ｂに第２の電線が挿通される。つまり、ハウジング１は、第１および第２の電線挿通孔１３１（１３１ａ，１３１ｂ）を有する。
【００２０】
また、ハウジング１内には、導電ブロック２を収納する収納部１５が形成されている。各導電ブロック２は、電線挿通部１３と一対一に対応付けられており、第１，第２の速結端子部２１（２１ａ，２１ｂ）を有している。
【００２１】
第１の速結端子部２１（２１ａ）は、第１の電線挿通孔１３１ａに挿通された第１の電線を鎖錠接続する。第２の速結端子部２１（２１ｂ）は、第２の電線挿通孔１３１ｂに挿通された第２の電線を鎖錠接続する。
【００２２】
すなわち、導電ブロック２は、第１および第２の速結端子部２１ａ，２１ｂが第１および第２の電線挿通孔１３１ａ，１３１ｂにそれぞれ対向するようにハウジング１に収納される。
【００２３】
また、第１，第２の速結端子部２１ａ，２１ｂは、互いに連結部２２によって接続されており、同一の電線挿通部１３に挿通される一対の電線（第１，第２の電線）は、導電ブロック２によって電気的に接続される。
【００２４】
したがって、例えば第１の電線の一端を電源に接続する場合、第２の電線の一端を他の機器（端子台など）に接続して送り配線することができる。
【００２５】
このように、導電ブロック２は、第１および第２の速結端子部２１ａ，２１ｂと、第１および第２の速結端子部２１ａ，２１ｂ同士を連結する連結部２２と、を有する。
【００２６】
また、導電ブロック２は、負荷端子部２３を有しており、ハウジング１の後面に形成された第３の電線挿通孔１３２に挿通された第３の電線を鎖錠接続する。この第３の電線の一端は、負荷である照明器具の点灯装置に接続されることで、点灯装置に電力が供給される。
【００２７】
次に、導電ブロック２の構造について、図３，４を用いて説明する。導電ブロック２は、導電性を有する金属の板材を折り曲げ加工することで形成されている。すなわち、導電ブロック２は、一枚の導電性を有する板（たとえば、金属板）を折り曲げることで形成される。なお、３つの導電ブロック２を区別する場合は、導電ブロック２Ａ，２Ｂ，２Ｃと称し、ハウジング１内において、右から導電ブロック２Ａ，２Ｂ，２Ｃの順に収納される。
【００２８】
導電ブロック２は、第１，第２の速結端子部２１ａ，２１ｂと連結部２２と負荷端子部２３で構成されている。
【００２９】
連結部２２は、上下方向を厚み方向とする底面（底壁）２２１と、底面２２１の両側端を上方向に折り曲げ左右方向を厚みとする第１，第２の側壁２２２ａ，２２２ｂと、底面２２１の後端側を上方向に折り曲げ前後方向を厚み方向とする後壁２２３とで構成されている。そして、底面２２１と第１，第２の側壁２２２ａ，２２２ｂとで、前後方向に沿って延設された溝２２４が形成されている。連結部２２は、図４における破線４２で示すように、金属板をＵ字状に折り曲げることで形成される。
【００３０】
このように、連結部２２は、一対の側壁２２２（第１および第２の側壁２２２ａ，２２２ｂ）と、底壁２２１と、を有する。第１および第２の側壁２２２ａ，２２２ｂは、第１方向（図１における左右方向）において互いに所定間隔を隔てて対向する。底壁２２１は、第１方向に直交する第２方向（図１における上下方向）における第１の側壁２２２ａの端部（図４における下端部）２２６（２２６ａ）と第２方向における第２の側壁２２２ｂの端部２２６（２２６ｂ）とを連結する。また、第１および第２の側壁２２２ａ，２２２ｂは底壁２２１に一体に形成される。
【００３１】
底面２２１は、幅広部２２１ａと幅広部２２１ａの前方に形成される幅狭部２２１ｂとで構成されている。そして、幅広部２２１ａの後端側を上方向に略直角に折り曲げられることで、後壁２２３が形成されている。また、幅狭部２２１ｂの右端側を上方向に略直角に折り曲げられることで第１の側壁２２２ａが形成され、幅狭部２２１ｂの左端側を上方向に略直角に折り曲げられることで第２の側壁２２２ｂが形成されている。
【００３２】
そして、第１の側壁２２２ａに第１の速結端子部２１ａが設けられ、第２の側壁２２２ｂに第２の速結端子部２１ｂが設けられ、後壁２２３に負荷端子部２３が設けられる。
【００３３】
第１の速結端子部２１ａは、第１の電線受け部２１１（２１１ａ）と、第１の鎖錠片２１２（２１２ａ）と、接続片２１３（２１３ａ）とを備えており、第１の側壁２２２ａの右側に設けられる。すなわち、第１の速結端子部２１ａは、第１の側壁２２２ａにおける第２の側壁２２２ｂとは反対側の面（外面）２２７（２２７ａ）に設けられる。
【００３４】
第１の電線受け部２１１ａは、第１の側壁２２２ａの上端を右側に略半円状に折り曲げられることで形成されている。第１の電線受け部２１１ａは、第１の電線の挿通方向（図３の破線矢印４１）を規定するガイドとしての機能を有している。このような第１の電線受け部２１１ａは、第２方向において電線Ｗと接触される接触面２１１１（２１１１ａ）を有する。
【００３５】
第１の接続片２１３ａは、第１の側壁２２２ａの前端を右側に略直角に折り曲げられることで形成されており、第１の鎖錠片２１２ａと第１の側壁２２２ａとを接続する。
【００３６】
第１の鎖錠片２１２ａは、第１の接続片２１３ａの上端を斜め後方向に折り曲げられることで形成されており、先端が第１の電線受け部２１１ａの下面に向かって弾接する弾接力を有している。
【００３７】
第１の鎖錠片２１２ａが弾性変形していない状態では、第１の鎖錠片２１２ａの先端と第１の電線受け部２１１ａとの距離は第１の電線の外径に対して十分小さくされている。したがって、第１の電線が第１の電線挿通孔１３１ａを介してハウジング１内に挿通されると、第１の鎖錠片２１２ａと第１の電線受け部２１１ａとで第１の電線を挟持することで第１の電線が鎖錠接続される。
【００３８】
第１の速結端子部２１ａでは、第１の電線受け部２１１ａと第１の鎖錠片２１２ａとは第２方向（図１における上下方向）で対向している。そのため、電線Ｗを第１の速結端子部２１ａに接続するには、この第２方向に直交する第３方向（図１における前後方向、図３において破線矢印４１で示す方向）に沿って電線Ｗを第１の電線受け部２１１ａと第１の鎖錠片２１２ａとの間に挿入する。これにより、第１の鎖錠片２１２ａが電線Ｗで押されて接触面２２２１（２２２１ａ）から離れるように弾性変形し、その結果、電線Ｗが第１の電線受け部２１１ａと第１の鎖錠片２１２ａとの間で保持される。このようにして、電線Ｗは、第１の速結端子部２１ａに電気的かつ機械的に接続される。
【００３９】
また、第１の鎖錠片２１２ａは、第１の電線受け部２１１ａの右側に延設された第１の解除片２１４ａを備えている。
【００４０】
この第１の解除片２１４ａは、本体１１の上面に設けられる解除ボタン１４に当接する。そして、解除ボタン１４を下方向に押圧操作され、第１の解除片２１４ａが下方に変位することで、第１の鎖錠片２１２ａの先端が第１の電線受け部２１１ａから離れる方向に弾性変形する。そして、第１の鎖錠片２１２ａが、下方への弾性変形が所定量に達すると、第１の電線に対する鎖錠が解除され、第１の電線を第１の電線挿通孔１３１ａから引き抜くことができる。
【００４１】
このように、第１の速結端子部２１ａは、第２方向において電線Ｗと接触される接触面２２２１（２２２１ａ）を有する電線受け部（第１の電線受け部）２１１（２１１ａ）と、第２方向において接触面２２２１（２２２１ａ）に対向するように配置され電線Ｗにより押圧されると接触面２２２１（２２２１ａ）から離れるように弾性変形して電線Ｗを電線受け部２１１（２１１ａ）とで保持する鎖錠片（第１の鎖錠片）２１４（２１４ａ）と、を有する。そして、第１の速結端子部２１ａは、第１の側壁２２２ａに一体に形成される。
【００４２】
第２の速結端子部２１ｂは、第２の電線受け部２１１ｂと、第２の鎖錠片２１２ｂと、接続片２１３ｂとを備えており、第２の側壁２２２ｂの左側に設けられる。すなわち、第２の速結端子部２１ｂは、第２の側壁２２２ｂにおける第１の側壁２２２ａとは反対側の面（外面）２２７（２２７ｂ）に設けられる。
【００４３】
第２の電線受け部２１１ｂは、第２の側壁２２２ｂの上端を左側に略半円状に折り曲げられることで形成されている。第２の電線受け部２１１ｂは、第２の電線の挿通方向を規定するガイドとしての機能を有している。このような第２の電線受け部２１１ｂは、第２方向において電線Ｗと接触される接触面２１１１（２１１１ｂ）を有する。
【００４４】
第２の接続片２１３ｂは、第２の側壁２２２ｂの前端を左側に略直角に折り曲げられることで形成されており、第２の鎖錠片２１２ｂと第２の側壁２２２ｂとを接続する。第２の鎖錠片２１２ｂは、第２の接続片２１３ｂの上端を斜め後方向に折り曲げられることで形成されており、先端が第２の電線受け部２１１ｂの下面に向かって弾接する弾接力を有している。
【００４５】
第２の鎖錠片２１２ｂが弾性変形していない状態では、第２の鎖錠片２１２ｂの先端と第２の電線受け部２１１ｂとの距離は第２の電線の外径に対して十分小さくされている。したがって、第２の電線が第２の電線挿通孔１３１ｂを介してハウジング１内に挿通されると、第２の鎖錠片２１２ｂと第２の電線受け部２１１ｂとで第２の電線を挟持することで第２の電線が鎖錠接続される。
【００４６】
また、第２の鎖錠片２１２ｂは、第２の電線受け部２１１ｂの左側に延設された第２の解除片２１４ｂを備えている。
【００４７】
この第２の解除片２１４ｂは、本体１１の上面に設けられる解除ボタン１４に当接する。そして、解除ボタン１４を下方向に押圧操作され、第２の解除片２１４ｂが下方に変位することで、第２の鎖錠片２１２ｂの先端が第２の電線受け部２１１ｂから離れる方向に弾性変形する。そして、第２の鎖錠片２１２ｂが、下方への弾性変形が所定量に達すると、第２の電線に対する鎖錠が解除され、第２の電線を第２の電線挿通孔１３１ｂから引き抜くことができる。
【００４８】
このように、第２の速結端子部２１ｂは、第１の速結端子部２１ａと同様に、第２方向において電線Ｗと接触される接触面２２２１（２２２１ｂ）を有する電線受け部（第２の電線受け部）２１１（２１１ｂ）と、第２方向において接触面２２２１（２２２１ｂ）に対向するように配置され電線Ｗにより押圧されると接触面２２２１（２２２１ｂ）から離れるように弾性変形して電線Ｗを電線受け部２１１（２１１ｂ）とで保持する鎖錠片（第２の鎖錠片）２１４（２１４ｂ）と、を有する。そして、第２の速結端子部２１ｂは、第２の側壁２２２ｂに一体に形成される。
【００４９】
このように、本実施形態の導電ブロック２は、第１，第２の側壁２２２ａ，２２２ｂと底面２２１（幅狭部２２１ｂ）とで構成される溝２２４を有している。そして、第１の速結端子部２１ａは第１の側壁２２２ａの外面（右面）に設けられ、第２の速結端子部２１ｂは第２の側壁２２２ｂの外面（左面）に設けられる。
【００５０】
負荷端子部２３は、電線受け部２３１と立上片２３２と鎖錠片２３３とで構成され、後壁２２３に設けられる。
【００５１】
電線受け部２３１は、後壁２２３の上端を後方に略直角に折り曲げられることで形成されている。
【００５２】
立上片２３２は、電線受け部２３１の後端を上方向に略直角に折り曲げられることで形成されており、矩形状の挿通孔２３４が左右方向に並んで形成されている。
【００５３】
挿通孔２３４は、上下方向に長い矩形状で、立上片２３２の下端まで連続して開口している。
【００５４】
鎖錠片２３３は、各挿通孔２３４の上端から下方に向かって延設され、下端である先端に向かうにつれて立上片２３２から離れるように前方に傾斜しており、先端が電線受け部２３１の上面に向かって弾接する弾性力を有している。
【００５５】
鎖錠片２３３が弾性変形していない状態では、鎖錠片２３３の先端と電線受け部２３１との距離は第３の電線の外径に対して十分小さくされている。したがって、第３の電線が第３の電線挿通孔１３２を介してハウジング１内に挿通され、挿通孔２３４を挿通すると、鎖錠片２３３と電線受け部２３１とで第３の電線を挟持することで第３の電線が鎖錠接続される。
【００５６】
また、３つの導電ブロック２のうち、一番左側に収納される導電ブロック２Ｃは、アース線が接続されるアース端子であり、上記構成に加えてアース端子部２４を備えている。
【００５７】
アース端子部２４は、中央片２４１と側片２４２とで構成されている。中央片２４１は、負荷端子部２３の電線受け部２３１の左端を下方に略直角に折り曲げられることで形成されており、左面から左上方向に切り起された切り起し片２４３が形成されている。また、側片２４２は、中央片２４１の前端および後端から右方向に折り曲げられることで形成されている。
【００５８】
カバー１２には、アース端子部２４を挿通させる挿通孔１２２が形成されており、ハウジング１内に導電ブロック２Ｃが収納されると、ハウジング１の下面（カバー１２）からアース端子部２４が突出する。
【００５９】
そして、本実施形態の端子台１０が取り付けられる照明器具の取り付け板（図示なし）にもアース端子部２４を挿通する端子挿通孔が形成されており、切り起し片２４３が取り付け板の端子挿通孔の縁に係止することで、端子台１０は取り付け板に保持される。
【００６０】
このとき、アース端子部２４が取り付け板の端子挿通孔の内周面に接触することで、照明器具をアース（接地）することができる。
【００６１】
上記構成の３つの導電ブロック２は、ハウジング１内に形成された３つの収納部１５に収納される。
【００６２】
本体１１は、図５に示すように、内部を左右方向に３つに分割する仕切り部１１４が形成されている。同様に、図２に示すように、カバー１２にも内部を左右方向に３つに分割する仕切り部１２３が形成されている。そして、ハウジング１内は、仕切り部１１４，１２３によって、左右方向に３つに分割されることで収納部１５が形成され、各収納部１５に導電ブロック２が収納される。
【００６３】
また、図５に示すように、本体１１の内面において、各収納部１５の左右方向における略中央から左右方向を厚み方向とし前後方向に延設された板状の突起部１１５が形成されている。突起部１１５の左右方向の厚みは、導電ブロック２の溝２２４の幅よりもやや狭く形成されている。そして、図６〜８に示すように、各導電ブロック２は、溝２２４内に突起部１１５が挿入されるように収納部１５に収納される。
【００６４】
すなわち、ハウジング１は、第１および第２の側壁２２２ａ，２２２ｂの間に介在される突起部１１５を備える。突起部１１５は、第１の側壁２２２ａにおける第２の側壁２２２ｂと対向する面（内面）２２８（２２８ａ）と第２の側壁２２２ｂにおける第１の側壁２２２ａと対向する面２２８（２２８ｂ）とに接触するように形成される。
【００６５】
このように、本実施形態の導電ブロック２は、底面２２１と第１，第２の側壁２２２ａ，２２２ｂとでＵ字状となるように折り曲げられることで溝２２４が形成されている（図４参照）。
【００６６】
そして、第１，第２の速結端子部２１ａ，２１ｂは、第１，第２の側壁２２２ａ，２２２ｂの外面に設けられる。したがって、第１の速結端子部２１ａと第２の速結端子部２１ｂとは、互いに第１，第２の側壁２２２ａ，２２２ｂによって仕切られることとなる。
【００６７】
このため、図９に示すように、第１の電線Ｗが左側に傾斜した方向で第１の電線挿通孔１３１ａに挿通される場合でも、第１の側壁２２２ａによって第１の電線Ｗが第２の速結端子部２１ｂに誤接続されることを防止することができる。
【００６８】
また、各導電ブロック２は、仕切り部１１４，１２３によって仕切られた収納部１５に収納されるので、仕切り部１１４，１２３によって、異なる導電ブロック２への誤接続も防止することができる。これにより、第１，第２の電線の確実な接続，保持などの性能を得ることができ、信頼性を向上させることができる。
【００６９】
また、本実施形態の導電ブロック２は、底面２２１と第１，第２の側壁２２２ａ，２２２ｂとで構成される溝２２４に、突起部１１５が挿入するように収納される。したがって、ハウジング１内における導電ブロック２の位置決めをすることができる。
【００７０】
また、収納部１５の左右方向の幅が、導電ブロック２の左右方向の幅よりも大きい場合であっても、溝２２４内に突起部１１５が挿入されることで、ハウジング１内における導電ブロック２の位置ずれも防止することができる。これにより、電線の挿入性が向上する。
【００７１】
また、本実施形態の導電ブロック２Ａ，２Ｂは、第１，第２の側壁２２２ａ，２２２ｂに開口部２２５が形成されている。しかし、このような場合でも、溝２２４内に突起部１１５が挿入されるため、この突起部１１５によって第１，第２の速結端子部２１ａ，２１ｂが仕切られ、電線が斜め方向に挿入されても隣接する速結端子部２１への誤接続を防止することができる。
【００７２】
また、本実施形態の導電ブロック２は、一つの板材を折り曲げ加工することで各部を形成しているため、プレス加工が容易になると共に、組み立て時の部品点数を減らすことができ、組み立て費を削減することができる。
【００７３】
また、第１，第２の速結端子部２１ａ，２１ｂは、互いに独立しているため、一方の速結端子部２１に電線が挿入された場合でも他方の速結端子部２１の電線保持性能に影響がない。
【００７４】
そして、図１０に示すように、上記構成の端子台１０は、照明器具３に取り付けられる。照明器具３は、器具本体３１に点灯装置を収納しており、器具本体３１に設けられる一対のソケット３２に接続された放電灯Ｌａを点灯させる。
【００７５】
端子台１０は、電源と点灯装置との間に介挿され、例えば第１の速結端子部２１ａに電源からの第１の電線が接続され、負荷端子部２３に点灯装置への第３の電線が接続されることで、点灯装置に電力供給される。
【００７６】
また、照明器具３を複数台設ける場合、一方の端子台１０の第２の速結端子部２１ｂと他方の端子台１０の第１の速結端子部２１ａとを電線で接続する送り配線することで、複数台の照明器具３に電力供給することができる。
【００７７】
以上述べたように本実施形態の端子台１０は、端子台１０は、電線Ｗを挿通させる電線挿通孔１３１を有するハウジング１と、ハウジング１に収納され電線挿通孔１３１に挿通された電線Ｗが接続される１乃至複数の導電ブロック２とを備える。導電ブロック２は、電線挿通孔１３１ａに挿通された第１の電線Ｗを鎖錠接続する第１の速結端子部２１ａと、電線挿通孔１３１ｂに挿通された第２の電線Ｗを鎖錠接続する第２の速結端子部２１ｂと、電線Ｗの挿通方向に沿って延設された溝２２４が形成され第１，第２の速結端子部２１ａ，２１ｂを連結させる連結部２２とを有する。溝２２４は、互いに対向する第１の側壁２２２ａおよび第２の側壁２２２ｂと、第１，第２の側壁２２２ａ，２２２ｂの一端同士を接続する底面２２１とで構成される。第１の速結端子部２１ａは、第１の側壁２２２ａの外面２２７ａに設けられる。第２の速結端子部２１ｂは、第２の側壁２２２ｂの外面２２７ｂに設けられる。
【００７８】
また、本実施形態の端子台１０では、第１，第２の速結端子部２１ａ，２１ｂおよび連結部２２は、板材を折り曲げ加工することで形成される。
【００７９】
また、本実施形態の端子台１０では、ハウジング１は、溝２２４内に挿入される突起部１１５を内面に備える。
【００８０】
また、本実施形態の端子台１０では、第１の速結端子部２１ａは、第１の電線受け部２１１ａと、第１の電線受け部２１１ａに向かって弾接する第１の鎖錠片２１２ａとを有し、第１の電線Ｗを第１の電線受け部２１１ａと第１の鎖錠片２１２ａとで挟持することで第１の電線Ｗを鎖錠接続する。第２の速結端子部２１ｂは、第２の電線受け部２１１ｂと、第２の電線受け部２１１ｂに向かって弾接する第２の鎖錠片２１２ｂとを有し、第２の電線Ｗを第２の電線受け部２１１ｂと第２の鎖錠片２１２ｂとで挟持することで第２の電線Ｗを鎖錠接続する。
【００８１】
換言すれば、本実施形態の端子台１０は、以下の第１〜第７の特徴を有する。なお、第２〜第７の特徴は任意の特徴である。
【００８２】
第１の特徴では、端子台１０は、電線Ｗを受ける導電ブロック２を備える。導電ブロック２は、第１および第２の速結端子部２１ａ，２１ｂと、第１および第２の速結端子部２１ａ，２１ｂ同士を連結する連結部２２と、を有する。連結部２２は、第１方向において互いに所定間隔を隔てて対向する第１および第２の側壁２２２ａ，２２２ｂと、第１方向に直交する第２方向における第１の側壁２２２ａの端部２２６ａと第２方向における第２の側壁２２２ｂの端部２２６ｂとを連結する底壁（底面）２２１と、を有する。第１の速結端子部２１ａは、第１の側壁２２２ａにおける第２の側壁２２２ｂとは反対側の面（外面）２２７ａに設けられる。第２の速結端子部２１ｂは、第２の側壁２２２ｂにおける第１の側壁２２２ａとは反対側の面（外面）２２７ｂに設けられる。
【００８３】
第２の特徴では、第１の特徴において、第１および第２の側壁２２２ａ，２２２ｂは底壁２２１に一体に形成される。第１の速結端子部２１ａは、第１の側壁２２２ａに一体に形成される。第２の速結端子部２１ｂは、第２の側壁２２２ｂに一体に形成される。
【００８４】
第３の特徴では、第３の特徴において、第１および第２の速結端子部２１ａ，２１ｂと連結部２２とは、一枚の導電性を有する板を折り曲げることで形成される。
【００８５】
第４の特徴では、第１〜第３の特徴のいずれか１つにおいて、端子台１０は、導電ブロック２を収納するように構成されるハウジング１をさらに備える。ハウジング１は、第１および第２の電線挿通孔１３１ａ，１３１ｂを有する。導電ブロック２は、第１および第２の速結端子部２１ａ，２１ｂが第１および第２の電線挿通孔１３１ａ，１３１ｂにそれぞれ対向するようにハウジング１に収納される。
【００８６】
第５の特徴では、第４の特徴において、ハウジング１は、第１および第２の側壁２２２ａ，２２２ｂの間に介在される突起部１１５を備える。
【００８７】
第６の特徴では、第５の特徴において、突起部１１５は、第１の側壁２２２ａにおける第２の側壁２２２ｂと対向する面２２８ａと第２の側壁２２２ｂにおける第１の側壁２２２ａと対向する面２２８ｂとに接触する。
【００８８】
第７の特徴では、第１〜第６の特徴のいずれか１つにおいて、第１および第２の速結端子部２１ａ，２１ｂのそれぞれは、電線受け部２１１と、鎖錠片２１２と、を有する。電線受け部２１１は、第２方向において電線Ｗと接触される接触面２１１１を有する。鎖錠片２１２は、第２方向において接触面２１１１に対向するように配置され、電線Ｗにより押圧されると接触面２１１１から離れるように弾性変形して電線Ｗを電線受け部２１１とで保持するように構成される。
【００８９】
また、上述した照明器具３は、本実施形態の端子台１０と、端子台１０が取り付けられる器具本体３１と、を備える。端子台１０は、電線Ｗを挿通させる電線挿通孔１３１を有するハウジング１と、ハウジング１に収納され電線挿通孔１３１に挿通された電線Ｗが接続される１乃至複数の導電ブロック２とを備える。導電ブロック２は、第１の電線挿通孔１３１ａに挿通された第１の電線Ｗを鎖錠接続する第１の速結端子部２１ａと、第２の電線挿通孔１３１ｂに挿通された第２の電線Ｗを鎖錠接続する第２の速結端子部２１ｂと、電線Ｗの挿通方向に沿って延設された溝２２４が形成され第１，第２の速結端子部２１ａ，２１ｂを連結させる連結部２２とを有する。溝２２４は、互いに対向する第１の側壁２２２ａおよび第２の側壁２２２ｂと、第１，第２の側壁２２２ａ，２２２ｂの一端（端部）２２６ａ，２２６ｂ同士を接続する底面２２１とで構成される。第１の速結端子部２１ａは、第１の側壁２２２ａの外面２２７ａに設けられる。第２の速結端子部２１ｂは、第２の側壁２２２ｂの外面２２７ｂに設けられる。
【００９０】
すなわち、照明器具３は、上記の第１〜第７の特徴を有する端子台１０と、端子台１０が取り付けられる器具本体３１と、を備える。この場合、端子台１０は、第２〜第７の特徴を必ずしも有している必要はない。
【００９１】
以上説明したように、本実施形態の端子台１０および照明器具３では、隣接する速結端子部２１への電線Ｗの誤挿入を防止することができるという効果がある。
【図１】
0005870467.tif 000002
【図２】
0005870467.tif 000003
【図３】
0005870467.tif 000004
【図４】
0005870467.tif 000005
【図５】
0005870467.tif 000006
【図６】
0005870467.tif 000007
【図７】
0005870467.tif 000008
【図８】
0005870467.tif 000009
【図９】
0005870467.tif 000010
【図１０】
0005870467.tif 000011